Podtech/llm-jp-corpus-v4-ja_patent huggingface dataset:
(57)【要約】【課題】釣り竿を細かく上下して魚を誘うための魚集体を提供する。【解決手段】管体５の周りに羽根６を螺旋状に巻き付けて羽根車２を構成し、この羽根車の管体の中に心棒１を通す。羽根車を跨ぎながら心棒の周りに回動できるようにプロテクター３を取り付ける。このプロテクターに設けたサルカン７に短いハリス１５を結びつける。【選択図】図１
2007209242.tif 000002
【特許請求の範囲】
【請求項１】
釣り糸の途中に取り付けられる心棒に羽根車を取り付けたものであり、該羽根車が、該心棒が通る管体と、該管体の周りに螺旋状に巻き付いている連続した羽根からなる集魚体。
【請求項２】
共通の心棒に２個の羽根車を取り付け、各羽根車の羽根の巻き付き方向が互に逆になっている請求項１の集魚体。
【請求項３】
該羽根車を跨ぎながら該心棒の周りに回動できるようにプロテクターを取り付けた請求項１または２に記載の集魚体。
【請求項４】
該プロテクターにハリスを結びつけるための係止部を設けた請求項３に記載の集魚体。
【発明の詳細な説明】
【技術分野】
【０００１】
本発明は釣り竿を上げ下げして魚を誘うための魚集体に関する。
【背景技術】
【０００２】
釣り竿を上げ下げして魚を誘うための器具として、従来、飛行機のプロぺラに似たものが知られている。これは、複数枚のブレードを備えた羽根車（直径数センチメートル）を釣り糸の途中に取り付けるようにしたもので、竿を上げ下げすると水流を受けて羽根車が垂直軸の周りに回り、これで魚を誘うようになっている。しかし、羽根車が回っても、その形状はとても餌（イソメなど虫や小魚）には見えないので、魚を誘う効果は低い。また、回っている羽根車は、横方向からは見えにくい。さらに、ブレードが放射状に突き出ているので、釣り糸が絡み易いという欠点もある。
【発明の開示】
【発明が解決しようとする課題】
【０００３】
この発明は、釣り糸が絡みにくく、しかも、魚を誘う効果の高い魚集体を提供することを課題とする。
【課題を解決するための手段】
【０００４】
この発明の集魚体は、釣り糸の途中に取り付けられる心棒に羽根車を取り付けたもので、その羽根車は、心棒が中を通っている管体と、管体の周りに螺旋状に巻き付いている連続した羽根から構成されている（請求項１）。
【０００５】
この集魚体は、釣り竿を上げ下げして、水中を上下させる。集魚体に備えられた羽根車は、管体の周りに連続した羽根が螺旋状に巻き付いており、言わば、ねじ棒のような形状をしている。したがって、これが上下に動くとき、羽根に水流を受けて心棒の周りに回転し、回転するねじ棒は、あたかもイソメのような虫が躍っているように見る。これに惹かれて魚が寄って来て釣果が上がる。なお、羽根車の表面は、魚が気づきやすいよう目立つ色を付けておくとよい。見る方向によって色が変わるホログラムを付して、魚の鱗の感じを出すようにしてもよい。
【０００６】
また、この羽根車は、管体に羽根が螺旋状に連続して巻き付いているので突起物がなく、従来のプロペラ形のものに比べて釣り糸が絡みにくいという特徴がある。
【０００７】
共通の心棒に、羽根の巻き付き方向が互に逆になっている２個の羽根車を取り付けるようにしてもよい（請求項２）。こうすれば２つの羽根車がいつも反対方向に回るので、魚の注意をさらに惹くことができる。
【０００８】
釣り糸が絡み付かないよう、羽根車を跨ぎながら心棒の周りに回動できるようにプロテクターを取り付けることができる（請求項３）。こうすれば、羽根車の一側がプロテクターで覆われる格好になり、釣り糸がいっそう絡み難くなる。
【０００９】
回転する羽根車の近くに餌があれば、寄って来た魚が針にかかりやすくなる。そこで、プロテクターに係止部を設けてハリスを結びつけるようにするとよい（請求項４）。このハリスは普通のものより短くするのが好ましい。
【発明を実施するための最良の形態】
【００１０】
図１は集魚体を示したもので、符号１は心棒、符号２は羽根車、符号３はプロテクターである。羽根車２は、管体５の周りに螺旋の羽根６が巻付いている。羽根車の直径は15mmくらい、羽根の巻き数は1.5回ほどである。巻き数を増やして全体をもっと長く形成してもよい。羽根６はプラスチック、ゴム、金属などで作ることができ、プラスチックで管体５と一体成型することも可能である。羽根６は、魚の気を惹き易いよう朱色と緑色で色付けしてある。塗料は、蛍光塗料、夜光塗料、ラメ入り塗料などを使うのも効果がある。
【００１１】
プロテクター３は、ステンレス線材を略「コ」の字形に折曲したものである。また、中央部にハリスを係止するためのサルカン７をつけておく。
【００１２】
組み立てるときは、プロテクタの両端の輪３ａの間に羽根車２を置き、輪３ａ、管体５、輪３ａの順序で心棒（ステンレス製）１を通して、端部に輪１ａを作る。なお。羽根車が円滑に回転できるよう、部品の間にビーズ９を入れておく。
【００１３】
この集魚体を用いたカレイ釣りの仕掛けを図３に示す。集魚体Ａは、つり竿から延びる道糸１１とテンビン１２から上に出た幹糸１３との間に取り付けられる。プロテクター３に固定されているサルカン７に短いハリス（例えば30〜40mm）１５を結びつける。テンビンから下に出た幹糸１３の先にもハリス（普通の長さのもの）１６を結着する。符号１７はテンビンにつけた重りである。
【００１４】
使用法であるが、釣り針にイソメなどの餌を付けて、仕掛けを海底に落とす。あたりを待つ間、竿を小さく上げ下げして、海底近くで仕掛けを数十cm50cmくらいの振幅で上下動させる。こうすると、羽根車２が軸方向に水流を受けて回る。回転方向は一定でなく、上に向かって動いているときと下に向かっているときで異なる。このような羽根車の動きは、魚にとってみれば、イソメや小魚がヒラヒラと動いているように見える。こうして魚が寄って来て、餌に気づき、針（特に、プロクター付きのハリス１５の針）にかかる。
【００１５】
この集魚体は、カレイのほか、アイナメ、カワハギなど、岩場（根）や砂地の海底に生息している魚の船釣り（流し釣り）に適している。
【００１６】
図２は、他の実施例を示したもので、一本の心棒１に２個の羽根車２、２を取り付ける。２つの羽根車の羽根６の方向は互に逆になっており、したがって、２つの羽根車は常に反対方向に回転して、魚を惹きつける。
【図面の簡単な説明】
【００１７】
【図１】集魚体の立面図である。
【図２】羽根車が２つある集魚体の立面図である。
【図３】図１の集魚体を使った釣りの仕掛けを示す。
【符号の説明】
【００１８】
１    心棒
２    羽根車
３    プロテクター
６    羽根
７    係止部（サルカン）
１５  ハリス
【図１】
2007209242.tif 000003
【図２】
2007209242.tif 000004
【図３】
2007209242.tif 000005
(57)【要約】【課題】さらに優れた腸内菌叢の改善及び免疫機能を有する栄養補助食品を提供すること。【解決手段】乳酸球菌の死菌と，コーンスターチを含む澱粉をアミラーゼで加水分解した糖化物を培地用基材とし、これに野菜汁および窒素源としてイーストを添加して発酵用培地を調整し、この培地に納豆菌であるバチルスズブチリスＡＫ(FERM P−１８２９１)および乳酸菌を含む発酵菌を接種し、発酵および熟成させた後、生成した液状成分を分取した食品用原液と，を混合したことからなること。【選択図】  なし【特許請求の範囲】
【請求項１】
乳酸球菌の死菌と，コーンスターチを含む澱粉をアミラーゼで加水分解した糖化物を培地用基材とし、これに野菜汁および窒素源としてイーストを添加して発酵用培地を調整し、この培地に納豆菌であるバチルスズブチリスＡＫ(FERM P−１８２９１)および乳酸菌を含む発酵菌を接種し、発酵および熟成させた後、生成した液状成分を分取した食品用原液と，を混合したことからなることを特徴とする腸内菌叢の改善および免疫機能を高めるための栄養補助食品。
【発明の詳細な説明】
【技術分野】
【０００１】
本発明は、腸内菌叢の改善および免疫機能を高めるための栄養補助食品に関する。
【背景技術】
【０００２】
従来、乳酸菌が優れた整腸作用をもたらす効果があることは知られている。乳酸菌には乳酸桿菌と乳酸球菌があり、一般に乳酸桿菌の生菌が使用されている。腸内菌叢のバランスを改善するためには菌を生きたまま腸に到達させる必要があると言われているからである（例えば、非特許文献１参照。）。
【０００３】
又、高血圧抑制性、免疫向上性、ダイエット効果、抗菌性が確実に発揮される保健栄養食品として（株）エンザミン研究所が開発した保健栄養食品がある
（例えば、特許文献１参照。）。
【０００４】
【特許文献１】特開２００３−２１０３６（［０００１］〜［０００９］）
【非特許文献１】日本食品科学工学会誌、第４８巻、第１号、ｐ３５〜４３，２００１年１月
【発明の開示】
【発明が解決しようとする課題】
【０００５】
従来の生きた乳酸菌では１回の摂取量が約１千億ぐらいであり、これ以上摂取すると下痢等の症状が出る等の問題があった。
【０００６】
そこで、本発明者らは、鋭意研究の結果十分に腸内に入れることが出来る乳酸菌として乳酸球菌の死菌を発見した。乳酸球菌の死菌、即ち、加熱処理菌体は粒径が非常に小さく、かつ培地成分を除き、菌体だけを高密度に集菌（３兆個以上／ｇ）することを発見した。そこで、この乳酸球菌の死菌を使用すれば腸内に多数の菌を摂り込むことが出来、そのため、腸内菌叢の改善及び免疫機能を高めることになるであろうと考えた。
【０００７】
しかし、本発明者らは、この乳酸球菌の死菌のもつ前記の効用をさらに高めることが出来ないかと考え、（株）エンザミン研究所の前記特許文献１に記載されている保健栄養食品に着目した。そこで、鋭意研究した結果、この特許文献１に記載されている（株）エンザミン研究所の保健栄養食品、即ち、コーンスターチを含む澱粉をアミラーゼで加水分解した糖化物を培地用基材とし、これに野菜汁および窒素源としてイーストを添加して発酵用培地を調整し、この培地に納豆菌であるバチルスズブチリスＡＫ(FERM P−１８２９１)および乳酸菌を含む発酵菌を接種し、発酵および熟成させた後、生成した液状成分を分取した食品用原液と乳酸球菌の死菌とを混合すると、乳酸球菌の死菌だけよりも、又、前記（株）エンザミン研究所の保健栄養食品だけよりも、さらに優れた腸内菌叢の改善及び免疫機能を発揮することを発見した。
【０００８】
そこで、本発明は、さらに優れた腸内菌叢の改善及び高い免疫機能を有する栄養補助食品を提供することを目的とする。
【課題を解決するための手段】
【０００９】
前記目的を達成するため、本発明の栄養補助食品は、乳酸球菌の死菌と，コーンスターチを含む澱粉をアミラーゼで加水分解した糖化物を培地用基材とし、これに野菜汁および窒素源としてイーストを添加して発酵用培地を調整し、この培地に納豆菌であるバチルスズブチリスＡＫ(FERM P−１８２９１)および乳酸菌を含む発酵菌を接種し、発酵および熟成させた後、生成した液状成分を分取した食品用原液と，を混合したことからなる。
【発明の効果】
【００１０】
乳酸球菌の死菌と前記（株）エンザミン研究所の保健栄養食品との相乗効果により、さらに優れた腸内菌叢の改善及び免疫機能を有する栄養補助食品を提供することが出来る。
【実施例】
【００１１】
以下、本発明の栄養補助食品の粉末及び錠剤の製造方法並びに本発明の実験例を示す。
【００１２】
2007209246.tif 000002
【００１３】
2007209246.tif 000003
【００１４】
［実験例１］
乳酸球菌の死菌と（株）エンザミン研究所の前記保健栄養食品（ＥＮＭ）合剤の臨床効果
これまで乳酸球菌の死菌によるアトピー性皮膚炎の皮膚症状の改善は示されている。これは乳酸球菌の死菌による腸管免疫の賦活あるいは調整作用によるものである。今回は乳酸球菌の死菌とＥＮＭ（株式会社エンザミン研究所の登録商標）の合剤に着目し臨床効果を検討した。
５例のアトピー性皮膚炎患者で、すでに乳酸球菌の死菌使用例において同剤に変更したところ、４例において皮膚症状の好転をみとめた。
１日２〜３包、２ヶ月服用にて２例で皮膚の発赤および掻痒カンの減少、他の２例で皮膚症状の好転とともに腸内環境（便通）の改善が認められた。
これは乳酸球菌による皮膚症状の改善に加え、ＥＮＭによるコラーゲン細胞の活性化等が関与しているものと考察できる。
(57)【要約】【課題】ブロック内に貫通状態で埋設した筒体ユニットにて光や水の流れを好まない小魚や水生昆虫が生息できるようにした根固めブロックを提供する。【解決手段】軸方向に貫通する筒体５内に粗朶６を充填してなる筒体ユニット４を、貫通状態となるようにしてブロック内に埋設した。そして上記筒体ユニットの粗朶部分に寒天を流し込む。【選択図】図１
2007209210.tif 000002
【特許請求の範囲】
【請求項１】
軸方向に貫通する筒体内に粗朶を充填してなる筒体ユニットを、貫通状態となるようにしてブロック内に埋設したことを特徴とする根固めブロック。
【請求項２】
筒体ユニットの粗朶部分に寒天を流し込むことを特徴とする請求項１記載の根固めブロック。
【発明の詳細な説明】
【技術分野】
【０００１】
本発明は、水辺や水中に設置して用いる根固めブロックで、詳しくはブロック内に、これの横方向に貫通する筒体を配置し、この筒体内に小魚が生息できるようにした根固めブロックに関するものである。
【背景技術】
【０００２】
この種の根固めブロックとしては、ブロック内に節部が貫通加工された竹材を１または複数箇所に横方向に貫通状態で配置されたものが知られている（例えば、特許文献１参照）。
【０００３】
【特許文献１】特開２００５−８８２２１号公報
【発明の開示】
【発明が解決しようとする課題】
【０００４】
上記従来のブロックにあっては、これの横方向に竹筒による貫通孔が設けられていることにより、この貫通孔は水中において小魚の住処となるが、この貫通孔は中空状態となっているのでこの貫通孔には光が入り、及び水の流れが生じてしまい折角小魚の住処となるべき貫通孔ありながら、光や水の流れを好まない小さな魚類、一般的には底生魚等の小魚が生息しにくかった。また、同様にこの貫通孔には稚子魚や水生昆虫も生息しにくい。
【０００５】
本発明は上記のことに鑑みなされたもので、ブロックの横方向に筒体を配置することにより形成する貫通孔を利用して、光や水の流れを好まない小さな底生魚類や、稚子魚や水生昆虫が生息できるようにした根固めブロックを提供することを目的とするものである。
【課題を解決するための手段】
【０００６】
上記目的を達成するために、本発明に係る根固めブロックは、軸方向に貫通する筒体内に粗朶を充填してなる筒体ユニットを、貫通状態となるようにしてブロック内に埋設した構成になっている。そしてこの構成の根固めブロックにおいて、筒体ユニットの粗朶部分に寒天を流し込んだ。
【発明の効果】
【０００７】
本発明に係る根固めブロックを水辺や水中に設置して、この根固めブロックに埋設した筒体ユニットが水中に浸漬されることにより、この筒体ユニットの粗朶部分にて構成される微細空間を小魚、特に光や水の流れを嫌う底生小魚や稚魚、さらに水中昆虫の住処とすることができる。
【０００８】
なお、筒体ユニットの粗朶部分には寒天が流し込まれているので、水に浸漬の当初の粗朶部分の微細空間は寒天にて塞がれているが、この寒天は壊れたり水に溶け、及び小魚に食べられることにより徐々になくなって粗朶部分は微細空間となり、上記したような小魚や水生昆虫の住処となる。そして、このときの寒天は稚魚の餌となる。
【発明を実施するための最良の形態】
【０００９】
図１は本発明の実施の形態を示す根固めブロック１を示すもので、この根固めブロック１は平面形状が四角形の基部２と、この基部２の上側に膨出された膨出部３とからなる形状に、普通コンクリートにて形成されている。なお、この形状は特に特徴を有するものではなく、根固めブロック１として任意の形状になり得るものである。
【００１０】
そしてこの根固めブロック１には、これの膨出部３を横方向に貫通して、これの両端部を外部に露出させた筒体ユニット４が複数本埋設されている。この筒体ユニット４は図２に示すように、軸方向に貫通した筒体５と、この筒体５内に充填された粗朶６とからなっている。上記筒体５は、その一例として節抜き加工された竹筒を用いた。
【００１１】
上記筒体ユニット４の粗朶６の部分には寒天が流し込み固化されている。
【００１２】
上記筒体ユニット４は、根固めブロック１の成形時にこれを成形するモルタル内に埋設する。
【００１３】
図３は上記した根固めブロック１を成形するための鋼製の型枠７を示すもので、これの内側で膨出部３を形成する部分に、上記筒体ユニット４をセットしてからモルタルを流し込む。このとき筒体ユニット４の両端を型枠７の内面で塞いで、この中にモルタルが流入しないようにする。
【００１４】
しかして上記のように構成された根固めブロック１を水辺または水中に設置し、これの筒体ユニット４が水中に浸漬されると、粗朶６の部分の寒天は壊れたり徐々に水に溶けてなくなり、この中に水が侵入する。このとき筒体ユニット４内の寒天は、小魚、特に稚魚の餌となり、これに誘われて小魚や稚魚が筒体ユニット４の粗朶６の部分（微細空間）に入り込み、ここを住処とする。水生昆虫も同様にここを住処とする。
【００１５】
また、この筒体ユニット４は筒体５内に粗朶６が充填されているので、筒体５内は光が入らず、また水の流れも生じないから、この筒体ユニット４内は光や水の流れを嫌う小魚や稚魚、さらには水生昆虫の格好の住処となる。
【００１６】
上記した実施の形態では、筒体ユニット４の筒体５に竹筒を用いた例を示したが、これは他の材料、、例えば紙筒、陶管、塩化ビニールパイプを用いてもよい。また、粗朶６としては柳の木の細枝が用いられるが、その他一般的な樹木の木枝も用いられる。なお竹の小枝を用いてもよい。
【図面の簡単な説明】
【００１７】
【図１】本発明に係る根固めブロックの一例を示す斜視図である。
【図２】筒体ユニットを一部破断して示す斜視図である。
【図３】根固めブロックを成形する型枠に筒体ユニットをセットした状態を示す斜視図である。
【符号の説明】
【００１８】
１…根固めブロック、２…基部、３…膨出部、４…筒体ユニット、５…筒体、６…粗朶、７…型枠。
【図１】
2007209210.tif 000003
【図２】
2007209210.tif 000004
【図３】
2007209210.tif 000005
(57)【要約】      （修正有）【課題】ステータティースに対応した位置に分割部を形成し、磁気抵抗を小さくし、磁気効率を向上させる。【解決手段】ステータ鉄心は、ステータティース（４）を有する分割ヨーク（２）を輪状に連結させて輪状ステータヨーク（２Ａ）を形成するようにしたステータ鉄心において、各ステータティース(4)に対応する外端側(5)又は内端側に、各分割ヨーク(2)を連結するための分割部(3)が形成されている構成である。【選択図】図１
2007209117.tif 000002
【特許請求の範囲】
【請求項１】
ステータティース(4)を有する分割ヨーク(2)を輪状に連結させて輪状ステータヨーク(2A)を形成するようにしたステータ鉄心において、
前記各ステータティース(4)の外端側(5)又は内端側に、前記各分割ヨーク(2)を連結するための分割部(3)が形成されていることを特徴とするステータ鉄心。
【請求項２】
前記分割部(3)は、Ｓ字型又はＺ型をなし、前記ステータティース(4)の一側部側(6)に形成されていることを特徴とする請求項１記載のステータ鉄心。
【請求項３】
前記各分割ヨーク(2)は、全体形状がＬ字型をなすことを特徴とする請求項１又は２記載のステータ鉄心。
【請求項４】
前記各ステータティース(4)には、前記各分割ヨーク(2)を連結する前に、予めステータ巻線(11)が巻付けてあることを特徴とする請求項１ないし３の何れかに記載のステータ鉄心。
【発明の詳細な説明】
【技術分野】
【０００１】
本発明は、ステータ鉄心に関し、特に、各分割ヨークを各ステータティースに対応する位置で分割して積層することにより、分割部の磁気抵抗を低減し、磁気的効率を向上させるための新規な改良に関する。
【背景技術】
【０００２】
従来、用いられていたこの種のモータにおけるステータ鉄心としては、例えば、特許文献１に示されるモータにおいても、各ステータティースに巻付けるステータ巻線の巻付けを容易にするために、ステータティースを有する分割ヨークを輪状に連結する構成が採用されている。
【０００３】
【特許文献１】特開平１１−６９７５９号公報
【発明の開示】
【発明が解決しようとする課題】
【０００４】
本発明は、以上のように構成されていたため、次のような課題が存在していた。
すなわち、ステータティースを有する各分割ヨークは、全体形状がＴ字型をなしその分割部はスロットの中央部に形成し、分割ヨークの両端を凹凸の組合わせ、又は、溶接等によって結合してステータ鉄心を形成していたため、スロットにおける分割部による磁気抵抗が大きく、磁気効率の向上を得ることが困難であった。
【課題を解決するための手段】
【０００５】
本発明によるステータ鉄心は、ステータティースを有する分割ヨークを輪状に連結させて輪状ステータヨークを形成するようにしたステータ鉄心において、前記各ステータティースの外端側又は内端側に、前記各分割ヨークを連結するための分割部が形成されている構成であり、また、前記分割部は、Ｓ字型又はＺ型をなし、前記ステータティースの一側部側に形成されている構成であり、また、前記各分割ヨークは、全体形状がＬ字型をなす構成であり、また、前記各ステータティースには、前記各分割ヨークを連結する前に、予めステータ巻線が巻付けてある構成である。
【発明の効果】
【０００６】
本発明によるステータ鉄心は、以上のように構成されているため、次のような効果を得ることができる。
すなわち、各分割ヨークを連結するための分割部を各ステータティースに対応した位置である外端側又は内端側に形成されているため、各分割ヨークを連結する分割部による磁気抵抗を低減し、磁気効率の向上を図り、高効率のモータ等を得ることができる。
【発明を実施するための最良の形態】
【０００７】
本発明は、各分割ヨークを各ステータティースに対応する位置で分割して積層することにより、分割部の磁気抵抗を低減し、磁気的効率を向上させるようにしたステータ鉄心を提供することを目的とする。
【実施例】
【０００８】
以下、図面と共に本発明によるステータ鉄心の好適な実施の形態について説明する。
図１において符号１で示されるものはインナロータ型のステータ鉄心であり、このステータ鉄心１は、全体形状がＬ字型をなす複数の分割ヨーク２を分割部３を互いに連結することにより輪状に形成されている。尚、前記分割ヨーク２を連結すると、各ヨーク部２ａによって輪状ステータヨーク２Ａが形成される。
【０００９】
前記各分割ヨーク２は、図２にも拡大して示されているように、前記分割部３がステータティース４の外端側５の一側部側６に形成され、従来のように、各スロット７に対応する位置ではなく、各ステータティース４に対応して形成されている。尚、各ステータティース４には、予め、巻線機によってステータ巻線１１を巻付けて、占積率の向上を図っている。
【００１０】
前記分割部３は、全体形状がＳ字型又はＺ型に形成され、この分割部３が分割ヨーク２のヨーク部２ａに形成されていないため、従来構成の場合よりも分割部３による磁気抵抗を小さくすることができる。
【００１１】
尚、前記各ステータティース４には、長手四角状の係合孔１０が形成されているが、この係合孔１０は、各分割ヨーク２をプレスする時及び連結並びに積層時の位置決め用に用いられる。
【００１２】
また、前記分割部３の連結は、接着剤又は溶接等によって行うことができ、図１の構成は、ステータ鉄心１がインナロータ型の場合について述べたが、図示しないアウタロータ型として、各ステータティース４を外方へ向けて連結し、各分割部３をステータティース４の内端側の一側部側に形成した場合も、インナロータ型と同様の効果を得ることができる。
【図面の簡単な説明】
【００１３】
【図１】本発明によるステータ鉄心を示す平面図である。
【図２】図１の要部の拡大平面図である。
【符号の説明】
【００１４】
１    ステータ鉄心
２    分割ヨーク
２ａ    ヨーク部
３    分割部
２Ａ    輪状ステータヨーク
４    ステータティース
５    外端側
６    一側部側
【図１】
2007209117.tif 000003
【図２】
2007209117.tif 000004
(57)【要約】【課題】  本体装置は、各ＵＰＳに内蔵されているバッテリーを相互に使用することができるため、電源障害の危険性がなくなり信頼性を向上させることができるＵＰＳ切替制御システムを提供することにある。【解決手段】  本体装置１または２に接続されたＵＰＳ１０または２０がバッテリー容量不足になった状況において、停電が起きた場合、ＵＰＳ切替制御装置３がバッテリー容量を検知して、もう一つのＵＰＳ２０または１０のバッテリーに切替えて、本体装置１または２に対して電源供給を行う。【選択図】図１
2007209053.tif 000002
【特許請求の範囲】
【請求項１】
本体装置に対し、バッテリーが内蔵されている無停電電源装置（ＵＰＳ）が複数接続されているシステムにおいて、
本体装置と前記ＵＰＳの間に、ＵＰＳのバッテリー状態を検知する制御装置を設け、
該制御装置は、前記本体装置の電源障害によってＵＰＳから前記本体装置に電源を供給する場合に、あるＵＰＳのバッテリー容量が不足している場合、バッテリー容量が充分な他のＵＰＳへ切替えて、前記本体装置に対してバッテリー供給を行うことを特徴とするＵＰＳ切替制御システム。
【発明の詳細な説明】
【技術分野】
【０００１】
本発明は、無停止運転を要求されるシステムに関し、バッテリーを内蔵するＵＰＳの容量検知および切替え制御システムに関する。
【背景技術】
【０００２】
従来、この種のシステムにおいては、停電や電源故障などから本体装置を守るためにＵＰＳを導入するのが一般的である。ＵＰＳはバッテリーを内蔵しており電源異常の際はＵＰＳ内蔵のバッテリーから電源供給する。また、同類のＵＰＳ切替え制御方式の一例が特開2000-245076号公報に記載されている。
【０００３】
【特許文献１】特開2000-245076号公報
【発明の開示】
【発明が解決しようとする課題】
【０００４】
本体装置と無停電電源装置（ＵＰＳ）が接続されているシステムが複数ある環境において、通常のＵＰＳは内蔵のバッテリーから電源を本体装置に供給するので、ＵＰＳ内蔵のバッテリーが容量不足になっている状態で、停電などの電源異常が起きた際、本体装置に対して必要な電力量がＵＰＳのバッテリーから供給できないという欠点がある。また、特許文献１に記載されている技術では、ＵＰＳ自体（内部）に制御回路を設けなければいけないので専用ＵＰＳが必要となった。
【０００５】
本発明の目的は、既存の汎用的なＵＰＳを使用し、ＵＰＳ内蔵のバッテリー容量を検知してＵＰＳ接続を制御するＵＰＳ切替制御システムを提供することにある。
【課題を解決するための手段】
【０００６】
上記目的を達成するために本発明は、一つのＵＰＳに内蔵されているバッテリーが容量不足の状況において、停電が起きた際、ＵＰＳ切替制御装置がバッテリー容量を検知して、もう一つのＵＰＳに内蔵されているバッテリーに切替えて電源供給を行う構成を採用した。
【発明の効果】
【０００７】
本発明により、本体装置は、各ＵＰＳに内蔵されているバッテリーを相互に使用することができるため、電源障害の危険性がなくなり信頼性を向上させることができる。また、ＵＰＳの保守運用作業においてもＵＰＳを切替えての運用が可能となりシステムをダウンさせないでメンテナンスができ保守性を向上させることができる。
【発明を実施するための最良の形態】
【０００８】
以下、本発明の一実施形態について説明する。
【０００９】
図1はＵＰＳ切替制御システムのブロック図である。図2はＵＰＳ切替制御システムの動作を示すフローチャートである。図1の本体装置1は、ＵＰＳ切替制御装置を介してＵＰＳ1に接続されている。また、本体装置2も同じくＵＰＳ切替制御装置を介してＵＰＳ2に接続されている。ＵＰＳ1とＵＰＳ2は、ともに、バッテリー21および22を内蔵しており、電源異常が起こると、電源制御部12または22がそれを検知して、バッテリー21または22から本体装置1または2に電源供給をする。
【００１０】
ＵＰＳ切替装置は、ＵＰＳ1とＵＰＳ2のバッテリー容量を検知するバッテリー容量検知部31とバッテリー供給を切替え運転するバッテリー供給制御部32からなる。停電などにより、ＡＣ電源14または24から本体装置1及び2への電源供給が不足または停止したことを電源制御部12または22が検知した場合は、電源制御部12または22は、UPS切替装置3に対してバッテリー11または12による電源供給を行う旨の情報を送信し、バッテリー供給制御部32は、バッテリー11または12から本体装置1または2に対して電源を供給する制御を行う。
【００１１】
次に、図1と図2を参照してＵＰＳ切替制御システムの動作を説明する。通常運転中、本体装置1に接続されているＵＰＳ1のバッテリーはフル充電できておらず充電中である。また、ＵＰＳ2のバッテリーはフル充電されている。その状態において、停電などにより、本体装置1に対する電源異常が起きた場合、ＵＰＳ1の電源制御部12は、本体装置1に対してバッテリー11による電源供給を行う。ＵＰＳ切替装置3に内蔵されているバッテリー容量検知部31は、ＵＰＳ1のバッテリー11のバッテリー残量を検知して、ＵＰＳ1のバッテリー残量が十分ある場合（フル充電含む）は、ＵＰＳ1から本体装置1に対して電源供給を行う。ＵＰＳ1のバッテリー11が必要量充電されていない場合は、本体装置1に接続されているＡＣ電源13に対して、バッテリー供給制御部32は、バッテリー11（ＵＰＳ10）からバッテリー21（ＵＰＳ20）へ切替えて電源供給を行う。
【００１２】
ここで、バッテリー容量検知部31が、ＵＰＳ1のバッテリー11のバッテリー残量を検知してバッテリー容量が充分に回復した場合、つまり、ＵＰＳ1のバッテリー容量が、本体装置1に電源を供給できる程度に十分に充電されたと検知した場合は、バッテリー供給制御部32は、本体装置1に対する電源供給を、バッテリー21（ＵＰＳ2）からバッテリー22（ＵＰＳ1）に切り替える。
【００１３】
以上、説明したように、ＵＰＳの内蔵バッテリーが容量不足（充電中）の場合は、そのＵＰＳに電源異常が起きても、ＵＰＳ切替装置に接続されている他のＵＰＳに切替えてバッテリー供給を受けることができる。これにより電源障害の危険性がなくなり信頼性が向上する。
【図面の簡単な説明】
【００１４】
【図１】ＵＰＳ切替制御システムのブロック図である。
【図２】ＵＰＳ切替制御システムの動作を示すフローチャートである。
【符号の説明】
【００１５】
１，２：本体装置、１０，２０：ＵＰＳ、２１，２２：バッテリー、１２，２２：電源制御部
【図１】
2007209053.tif 000003
【図２】
2007209053.tif 000004
(57)【要約】      （修正有）【課題】手動式の手の平や足裏のマッサージ器具などは、ツボを押す部分が固定しているか、ローラーが一箇所を回転するものであり、ツボを押す部分が移動しなかった。そこで、ツボを押す部分が移動するマッサージ器具を提供する。【解決手段】ツボを刺激するイボイボボールの中心部分を金属棒に通したものを数本並べ、両端を固定する。これにより、一度に何箇所ものツボを刺激し、心地の良いマッサージ効果を上げることができる。  マッサージ器具の上に手の平や足裏を置き、手の平や足裏を前後に移動させることで、イボイボボールも前後に移動し、手の平や足裏のツボを刺激することで、肩こり、眼精疲労、ストレスの回復、血行の促進の効果に期待が持てる。【選択図】図４
2007209720.tif 000002
【特許請求の範囲】
【請求項１】
イボイボの付いた直径４〜５センチ程のイボイボボールの中心部分に金属棒を通したものを前後に数本並べて、金属棒の両端を固定する。金属棒の両端を支える板を金属棒が前後にスライドする。
イボイボボールの上を手の平や足裏を自分で前後に動かすと、イボイボボールが手や足の動きに合わせて、前後に移動する。イボイボの部分が手の平や足裏のツボを刺激することで、手の平や足の裏に集中しているツボをマッサージする。手動式マッサージ器具。
【発明の詳細な説明】
【技術分野】
【０００１】  本発明は、マッサージボールが前後に移動する手動式マッサージ器具に関する。
【背景技術】
【０００２】  従来の手足のツボをマッサージする手動式マッサージ器具は数多くあるが、ツボを刺激する部分が前後に動いて手足のツボを刺激する手動式マッサージ器具は今までにない。
【特許文献１】  特開平１０−２７７１２６号  広報
【特許文献２】  特開  ２００２−１７２１４６号  広報
【発明の開示】
【発明が解決しようとする課題】
【０００３】  以上に述べた従来の手動式マッサージ器具は、ツボを刺激する部分が固定しているもの、ローラーが回転するが一箇所を固定して回転するもので、ツボを刺激する部分が前後に移動することで、ツボに刺激を与えるものはなかった。【０００４】  本発明は、従来の手動式マッサージ器具では着目されていなかったツボを刺激するイボイボボールが前後に移動することで手の平、足の裏のツボを刺激し、眼精疲労、肩こり、腰痛、ストレスなどの改善、血行の促進を目的するものである。
【課題を解決する手段】
【０００５】  そして、本発明は上記目的を達成するために、イボイボボールを横に２個並べて、イボイボボールの中心を金属棒を通す。２本の金属棒を前後に置き、２本の金属棒が重ならないように、金属棒の両端を固定する。両端を固定した金属棒を別板で支えて、スライドできるように支える別板の中心に空間を作る。イボイボボールを繋げた金属棒は前後に移動することができ、マッサージ器具上を、手の平や足の裏を前後に動かすことで、手の平、足裏のツボをマッサージできるものである。
【０００６】  上記第１の課題解決手段による作用は次の通りである。すなわち、手の平、足裏には数多くのツボが集中している、イボイボボールが前後に動き、自分の好みの強さを自分で調節しながら、手の平や足裏をマッサージすることで、ツボを刺激し、肩こり、眼精疲労、ストレスの改善、血行の促進などの効果に期待ができる。
【発明の効果】
【０００７】  上述したように、本発明の手動式イボイボマッサージ器具は、イボイボボールが前後に移動することで、足裏や手の平のツボをマッサージすることが出来、肩こり、眼精疲労、ストレスの改善、血行の促進などの効果に期待ができる。
【発明を実施するための最良の形態】
【０００８】  以下、本発明の実施の形態を図１〜図３に基づいて説明する。【０００９】  図においては、１はイボイボプラスチック球が前後に移動する構造、２は。マッサージ器具の全体図【００１０】  以下、上記構成の動作を説明する。イボイボマッサージ器具は、４〜５センチのイボイボボール２個の中心に金属棒を通し、隣同士のイボイボボールが付かないようにストッパーを付ける。２本の金属棒のイボイボボールを、前後２本が重ならないように距離を置いて２本の金属棒の両端を固定する。合計４個のイボイボ球の金属棒の両端を別板でスライドさせる。そのイボイボ球に足裏や手の平を置いて、イボイボボールを前後に移動させることで、足裏や手の平のツボを刺激することで、肩こり、眼精疲労などの改善、血行の促進の効果に期待ができる。
【図面の簡単な説明】
【００１１】
【図１】本発明のイボイボボールの構造
【図２】イボイボボールの中心を通る金属棒の構造
【図３】イボイボボールが両端を支える板をスライドする構造
【図４】イボイボボールマッサージ器具の全体図
【符号の説明】
【００１２】    １    イボイボボール
２    イボイボボール金属棒２本の構造
２ａ  隣同士のイボイボボールが重ならないようにするストッパー
３    スライド固定板
【図１】
2007209720.tif 000003
【図２】
2007209720.tif 000004
【図３】
2007209720.tif 000005
【図４】
2007209720.tif 000006
(57)【要約】      （修正有）【課題】利用済みの空ペットボトルを利用した、安価・小型の簡易尿トイレを提供する。【解決手段】可撓性のホースの一端に排尿受け口の流出口を接続し、該ホースの他端に利用済みの空ペットボトルの口金部に取り付け可能なキャップ部を設けた排尿受け具と、利用済みの空ペットボトルとで男女兼用型の簡易尿トイレを構成した。【選択図】図６
2007209713.tif 000002
【特許請求の範囲】
【請求項１】
使用後の飲料水ペットボトルに、本装置を取付、簡易尿トイレとして使用する。
【請求項２】
排尿口とペットボトル取付口（キャツプ）の間を自由自在になる。
可動式ホースによって接続している為、多目的用途に使用する事ができる。
【発明の詳細な説明】
【技術分野】
【０００１】災害時の仮設緊急トイレとして、空ペットボトルのキャップの変わりに、Ｐ・ボトル・トイレを装着し、簡易尿トイレとして使用する。
【背景技術】
【０００２】通常の仮設トイレは、大型で設置にも時間がかかる為、緊急時の対応に対しては問題がある。
【発明の開示】
【発明が解決しようとする課題】
【０００３】（イ）災害時に支給される救援物資、飲料水ペットボトルの空ボトルを利用して、緊急災害時用尿トイレとして使用する。【０００４】（ロ）男女兼用型で、どの様な体勢でも使用可能な簡易尿トイレである。【０００５】（ハ）本製品は男女兼用型である。
男子：直接器具に挿入して放尿する。
女子：器具を直接放尿部に当て、放尿する。【０００６】（ニ）自由自在になる可動式ホースを使用している為、どのような体勢（角度、方向）でも、放尿が可能である。【０００７】（ホ）満タンになれば、元のキャツプを取り付け処分する。
【課題を解決するための手段】
【０００８】（イ）どこにでもある空のペットボトルと、Ｐ・ボトル・トイレを、組合せる事により、緊急時の簡易尿トイレとして使用する。【０００９】（ロ）自由自在になる可動式ホースを使用している為に、どの様な体勢でも使用する事が可能である。
【発明の効果】
【００１０】（イ）安価・小型・てがる・どこにでもある空のペットボトルを使用する為に、多目的用途に使用できる。
・移動中の車中での簡易尿トイレとして使用
・病院入院中、ベッド上での簡易尿トイレとし使用
・年寄りが夜中の簡易尿トイレとして使用
・洗浄すれば何度でも使用可能である。
【発明を実施するための最良の形態】
【００１１】・災害時に支給される救援物資の飲料水ペットボトルの空ボトルを利用して、緊急災害時用尿トイレとして使用する事ができる。
【産業上の利用可能性】
【００１２】・本発明に係るＰ・ボトル・トイレは、工業的に量産する事が可能であるため、産業上の利用可能性を有する。
【図面の簡単な説明】
【００１３】
【図１】一般に販売されている２リットル入りのペットボトル  正面図．側面図
【図２】空のペットボトルに収縮時のＰ・ボトル・トイレ取付前  正面図．側面図
【図３】空のペットボトルに収縮時のＰ・ボトル・トイレ取付後  正面図．側面図
【図４】空のペットボトルに引張時のＰ・ボトル・トイレ取付後  正面図．側面図
【図５】空のペットボトルに引張曲げ時のＰ・ボトル・トイレ取付前  正面図
【図６】空のペットボトルに引張曲げ時のＰ・ボトル・トイレ取付後  正面図
【図１】
2007209713.tif 000003
【図２】
2007209713.tif 000004
【図３】
2007209713.tif 000005
【図４】
2007209713.tif 000006
【図５】
2007209713.tif 000007
【図６】
2007209713.tif 000008
(57)【要約】      （修正有）【課題】農薬散布作業中に農薬が目に入ると、目がしみて仕事にならず、防風メガネを付ければ汚れが付着し拭いても取れない点に鑑み、汚れの付着時に拭かずして散布作業作業が継続出来る防風メガネを提供する。【解決手段】防風メガネの透明な部分にカートリッジ式のフィルムを使用し、汚れの付着時にフィルムの汚れた部分を巻き取り、カートリッジより繰り出されたフィルム部分を新たな透明な部分とすることにより、常に鮮明に見ることが出来る構成とする。【選択図】図１
2007209711.tif 000002
【特許請求の範囲】
【請求項１】
防風メガネの透明な部分に汚れの落ちにくい物が付着したときに拭き取りのいらないメガネ。
【請求項２】
防風メガネの透明な部分にカートリッジフィルムを使って巻き取ることにより常に新しい部分で見ることの出来るメガネ。
【発明の詳細な説明】
【技術分野】
【０００１】  本発明は農薬散布などで目にしみたり、拭いても汚れの落ちにくい物が付着しても見える防風メガネに関するものである。
【背景技術】
【０００２】  従来農薬散布には、メガネ又は防風メガネなどを着けてたり、目に薬液が入らないようパンティーストッキングをかぶって作業をしている。このとき農薬によっては展着剤又は固着剤も一緒に混入されていることも知られている。
【発明が解決しようとする課題】
【０００３】  現在農薬の中に硫黄合剤という薬があり、これが目に入ると目にしみてとても開いていられる状態ではなく又、防風メガネなど着けると薬に固着剤などが入っていて拭いても汚れが落ちないという問題点があった。
本発明は以上の問題点を解決し、農薬散布が容易に出来るようなされたものである。
【課題を解決する手段】
【０００４】  防風メガネに着いた農薬がどうしても汚れが落ちないので、この透明な部分をフィルムにし、上下左右どちらでも良いほうへ巻き取ることにより汚れたら、新しい部分を出し、又新しい部分を出しながら作業をし、フィルムが終わったらカートリッジ式にし交換をする。
本発明は以上の構成よりなる汚れを拭かずに見える防風メガネである。
る。
【発明の効果】
【０００５】  本発明を使用することにより目の保護と、農薬が目にしみるときは目を半開きにしながらパンティーストッキング等をかぶって作業をしていたのが、安心して目を開けて作業をすることが出来る。
【発明を実施するための最良の形態】
【０００６】  以下、本発明の実施の形態を説明する。
（イ）防風メガネは顔面にフィットするような素材を使用する又、肌に当たる部分にはスポンジを用い隙間の無いようにする。
（ロ）透明な部分は、上部にフィルムの入る場所を設け、下部に巻き取りの出来る場所と巻き取るレバーを取り付ける。
（ハ）防風メガネの上部と下部には、曇り止めの通気孔を設けるが上部に薬液が霧状になって落ちてくるのが直接目に入らぬ様スポンジを貼り覆いをする。
（ニ）防風メガネを止めるには、ゴムバンドを用いヘルメットからも付けれるよう長めに調整出来るものとする。
本発明は以上の構成より成る。
【図面の簡単な説明】
【０００７】
【図１】本発明の斜視図
【図２】本発明の要部拡大の正面図
【図３】本発明の要部拡大の上面図
【符号の説明】
【０００８】（１）フィルムスライド画面  （２）フィルム巻き取り機  （３）カートリッジフィルム収納  （４）通気孔  （５）ゴムバンド  （６）スポンジ  （７）フィルムガイド  （８）ゴムバンド調整
【図１】
2007209711.tif 000003
【図２】
2007209711.tif 000004
【図３】
2007209711.tif 000005
(57)【要約】      （修正有）【課題】少ない買い物のときは１つのバッグに、多めの買い物の時には、瞬時に２つのバッグになる手軽で使いやすいバッグの提供。【解決手段】外側Ａバッグの底マチをフラットにして、内側Ｂバッグの底マチ有構造にして内側Ｂバッグを外側Ａバックを取り付けやすくした。外側Ａバッグと内側Ｂバッグの取手取り付けの位置にとホックを取り付け固定することで２つのバッグがずれないようにした。内側Ｂバッグの取手の先に金属の環を取り付け、取手の固定場所に取手の先の環を通す小さなベルトを取り付けた。バッグの中位置に下がった取手が、物の出し入れに邪魔にならないように、ベルトの間に長方形の吊りポケット１７を取り付け、その下に取手を入れることで邪魔にならないようにした。【選択図】図１
2007209717.tif 000002
【特許請求の範囲】
【請求項１】
（イ）外側Ａバッグの底マチ（１０）をフラットにし、内側Ｂバッグの底マチ（１１）有構造にした。
（ロ）外側Ａバッグの取手の元に（１）（２）（３）（４）ホックを付ける。
（ハ）内側Ｂバッグの取手の元に（５）（６）（７）（８）ホックを付ける。
（ニ）内側Ｂバックの取手の先に金属の環（１３）（１４）を取り付け固定された小さなベルト（１５）（１６）に通し、この間に吊りポケットをつけた。
以上（イ）（ロ）（ハ）（ニ）を要件とする２重構造バッグ。
【発明の詳細な説明】
【発明の詳細な説明】
【発明の目的】
【０００１】この考案は、買い物に行くときは手軽に１つのバッグであり、買い物が１つのバッグでは、入りきれなくなった時、瞬時に２つのバッグになり持ち運びが出来る便利さを、目的にしたものである。
【従来の現状】
【０００２】従来の１つのバッグで出かけるとき、予備のバッグを用意するとかざばって邪魔になったり、叉そのバッグを忘れたりと大変不便であった。
【発明が解決しようとする課題】
【０００３】本発明は、その欠点を取り除いて、少ない買い物のときは１つのバッグに、多めの買い物の時には、瞬時に２つのバッグになったりの手軽さ、使いやすさを開発しようとするものである。
【課題を解決するための手段】
【０００４】  いま、その解決手段を図面に追いながら説明すれば
（イ）外側Ａバッグの底マチ（１０）をフラットにして、内側Ｂバッグの底マチ（１１）有構造にして内側Ｂバッグを外側Ａバックに取り付けやすくした。
（ロ）外側Ａバッグと内側Ｂバッグの取手取り付けの位置に（１）（２）（３）（４）（５）（６）（７）（８）とホックを取り付け固定することで２つのバッグがずれないようにした。
（ハ）内側Ｂバッグの取手の先に金属の環を取り付け、取手の固定場所に取手の先の環を通す小さなベルト（１５）（１６）を取り付けた。
（ニ）外側Ａバッグの取手と内側Ｂバッグの取手を同時に持つと内側Ｂバックの取手の先の環が上に上がり、外側Ａバッグの取手と長さが揃い、さげるのに安定感がでる。
（ホ）外側Ａバッグの中で内側Ｂバックを使用する時は、取手を中に入れると環が下がり、取手がバッグの中位置に下がるようにした。
（ヘ）バッグの中位置に下がった取手が、物の出し入れに邪魔にならないように、ベルト（１５）（１６）の間に長方形の吊りポケット（１７）を取り付け、その下に取手を入れることで邪魔にならないようにした。
【発明を実施するための最良の形態】
【０００５】  本発明は、以上のような構造であるからこれを使用する時は
（イ）内容物が少ないときは外側Ａバッグの取手を持つ。
（ロ）内容物が重い場合は外側Ａバッグと内側Ｂバッグの取手を伸ばして同時に持つ。
（ニ）内容物が多いとき、外側Ａバッグと内側Ｂバッグのホックをはずし、内側Ｂバックの取手を引き出すことで、瞬時に２つのバッグとして使用できる。【０００６】なお、この発明の実施に当たっては、次の如くである。
（イ）縦・横・上下の外観寸法は、目的により様々に変化する。
（ロ）使用する素材は、紙・布・ビニール等商品の内容や年令  予算によって変化する。
【発明の効果】
【０００７】したがって、この発明の効果は次の通りである。
（イ）いろんな素材で使い分けが出来る。
（ロ）男女、年齢に関係なく使用出来る。
（ハ）かさばる別のバッグや袋を探さなくて良い。
（ニ）予備のバッグを忘れたりしなくて良い。
（ホ）取手も本体も２重構造のため強度が増している。
【図面の簡単な説明】
【図１】    本発明の正面図
【図２】    本発明の平面図
【図３】    本発明の側面図
【図４】    本発明の実施例の斜視図
【図５】    本発明の実施例の斜視図
【図６】    本発明の実施例の斜視図
【符号の説明】
１，２，３，４，は、外側Ａバッグのホック
５，６，７，８は、内側Ｂバッグのホック
１０は、外側Ａバッグの底マチ
１１は、内側Ｂバッグの底マチ
１３，１４は、取手の先の金属の環
１５，１６は、金属の環をとおすベルト
１７，は、吊りポケット
【図１】
2007209717.tif 000003
【図２】
2007209717.tif 000004
【図３】
2007209717.tif 000005
【図４】
2007209717.tif 000006
【図５】
2007209717.tif 000007
【図６】
2007209717.tif 000008
(57)【要約】      （修正有）【課題】突然襲い来る脳障害の多くは歩行困難になるものが多く、この治療法がなく、リハビリにより之に代えている。リハビリのための、体重の一部を車体に預け歩行することができる介護機器を提供する。【解決手段】高さ調節ができるサドル１、歩行目的時には内側に回り込ませることができるペタル７を備え、折りたたむことができる自転車。【選択図】図１
2007209731.tif 000002
【特許請求の範囲】
【請求項１】
歩行弱者が安全で倒れない自転車に身体を支えられ、地面にカガトがつく位置でサドル、ハンドル（図１−３）により固定させる。個人差は修正し無理のない状態にし、歩行目的に不要なペタルは内側に回りこませ（図１−７）之を容易にし、人生基本である普通の歩行の可能性を目指し、医療効果を高め、随時歩行距離を延ばし、日常両脚を鍛えることが出来る介護自転車。
【請求項２】
請求項１の目的と共に引き篭りがちな状態から脱する為、タクシーの客室に手荷物として持ち込むことが出来、小型で軽量であることが必要で主要関節（図２−４−５）に各々展開バネ（図４−１５）を配し、車体（図２）のワイヤーをハンドルで巻き取り（図４−８）方向ハンドル（図３−９）の方へ集合させる。軽量化については炭素繊維、硬質樹脂成型又は、軽金属の合成で成る介護自転車。
【発明の詳細な説明】
【発明の詳細な説明】
【発明に属する技術の分野】
【０００１】    本発明は歩行弱者のリハビリに関し苦痛を伴わず、日常の中に透って実施することが出きる自転車。
【背景技術】
【０００２】    リハビリは長期間にわたり亦、病状により完治しないものもあり、介護に当たる者を含み自由を奪われる。
【発明が解決しようとする課題】
【０００３】    プールでの水泳で実施する内容に、浮遊することで体重がすべて両脚に架からず苦痛が少ないことに着目し、体重の一部を車体に預け歩行することが出来る自転車。
【課題が解決するための手段】
【０００４】  体重を車体に架ける度合いはサドル（図１−３）の高さを調整することで決められ無理のない状態にすると共にバランスを崩し横転の危険の少ない安定感と次の動作に移る意欲を生み出すことが出来る
【発明実施の形態】
【０００５】    車体は安全を主に堅牢軽量であり、身体の一部として小回りのきくもので車体折りたたみ形態（図３）から主要支点（図２−４−５）に展開バネと引きバネ（図４−８．９）を配置し、機械抵抗の少ない基部を駆動し圧止するが、展開押しボタン（図４−８．５）か゜ピン（図４−８．６）の杭止めより脱して空転しワイヤー（図４−８．７）を介して引きバネや押しバネ（図４−１２．３）により一斉に展開するが、後方ローラー基部（図４−１０）の腕（図４−１０．２）により足竿（図２−１０．３）を押し開き、前方ローラー部（図４−１２．１）の開口竿を押し下げて乗り降りするＵ字開口部（図２）が生まれ、安定竿（図２−２）を股下に嵌入し横ぶれを封じ、安定感と共に組み合わせの小微動を止める。
ペタル走行の場合はチェーン環道（図２−１１）から左右車輪に伝送される。
歩行目的には不要なペタル（図１−７）は、引き環（図２−６）を引き上げることで内側に回り込ませ、之を容易にする。
閉じ込みの場合も亦、ワイヤー巻取支点軸（図４−４）にラチェットが巻き戻り止めとし巻取半ばにすれば手押し車となり、巻ききれば（図３）の形態となり、更に空間を埋める目的で方向ハンドルのハの字をリの字に折り曲げ９０度回し、サドルは水平位置から垂直に圧縮した形状になる。
【発明の効果】
【０００６】    医療効果はやる気と継続が重要であり、常に目的に向かうことが出来る介護機器である。
【図面の簡単な説明】
【図１】本発明の実施要領
【図２】展開図
【図３】閉止形態
【図４】部分形態
【符号の説明】
１．      サドル
２．      安定竿
３．      サドル固定ハンドル
４．      主要支点、巻取り支点軸、展開押しボタン
５．      主要支点
６．      引き環
７．      ワイヤー
８．      巻取りハンドル
９．      方向ハンドル
１０．１  ローラー基部
１０．２  腕
１０．３  足竿
１１．    チェーン環道
１２．    押しバネ
１３．    後輪
１４．    前輪
【図１】
2007209731.tif 000003
【図２】
2007209731.tif 000004
【図３】
2007209731.tif 000005
【図４】
2007209731.tif 000006